(57)【要約】【課題】アプリケーションを操作することによって、画像の明るさおよび焦点深度を調整する。【解決手段】電子機器において、アプリケーション、および前記アプリケーションを動作させるためのオペレーティングシステムを実行するための処理部と、被写体を撮像して画像を生成する撮像部と、絞り部と、を備え、前記絞り部は、前記撮像部の露光用の開口部の開口量を調整する羽根部材と、前記羽根部材を駆動する駆動部と、を含み、前記アプリケーションは、前記開口部の開口量を調整するための制御命令を前記オペレーティングシステムへ出力し、前記オペレーティングシステムは、前記アプリケーションから受けた前記制御命令に従って前記駆動部を制御する。【選択図】図１
2019101104.tif 000002
【特許請求の範囲】
【請求項１】
アプリケーション、および前記アプリケーションを動作させるためのオペレーティングシステムを実行するための処理部と、
被写体を撮像して画像を生成する撮像部と、
絞り部と、を備え、
前記絞り部は、
前記撮像部の露光用の開口部の開口量を調整する羽根部材と、
前記羽根部材を駆動する駆動部と、を含み、
前記アプリケーションは、前記開口部の開口量を調整するための制御命令を前記オペレーティングシステムへ出力し、
前記オペレーティングシステムは、前記アプリケーションから受けた前記制御命令に従って前記駆動部を制御する、
電子機器。
【請求項２】
前記アプリケーションは、前記画像の明るさを示す光量情報に基づき前記開口量を決定し、決定した前記開口量に基づき前記制御命令を生成し、生成した前記制御命令を前記オペレーティングシステムへ出力する、
請求項１に記載の電子機器。
【請求項３】
前記アプリケーションは、ユーザによって指定された前記開口量に基づき前記制御命令を生成し、生成した前記制御命令を前記オペレーティングシステムへ出力する、
請求項１または請求項２に記載の電子機器。
【請求項４】
前記撮像部は、
撮像素子と、
前記撮像素子を制御する撮像素子制御回路と、を含み、
前記駆動部は、
前記羽根部材を駆動するモータと、
撮像素子制御回路とは別個の、前記モータを制御するモータ制御回路と、を含む、
請求項１から請求項３のいずれか１項に記載の電子機器。
【請求項５】
前記モータは、ボイスコイルモータである、
請求項４に記載の電子機器。
【請求項６】
前記電子機器は、スマートフォンである、
請求項１から請求項５のいずれか１項に記載の電子機器。
【請求項７】
前記アプリケーションは、前記電子機器の外部からインストールされる、
請求項１から請求項６のいずれか１項に記載の電子機器。
【請求項８】
前記撮像部および前記絞り部は、前記電子機器の筐体に内蔵される、
請求項１から請求項７のいずれか１項に記載の電子機器。
【請求項９】
アプリケーション、および前記アプリケーションを動作させるためのオペレーティングシステムを実行するための処理部と、被写体を撮像して画像を生成する撮像部と、絞り部と、を備える電子機器における絞り制御方法であって、
前記絞り部は、
前記撮像部の露光用の開口部の開口量を調整する羽根部材と、
前記羽根部材を駆動する駆動部と、を含み、
前記アプリケーションが、前記開口部の開口量を調整するための制御命令を前記オペレーティングシステムへ出力するステップと、
前記オペレーティングシステムが、前記アプリケーションから受けた前記制御命令に従って前記駆動部を制御するステップと、を有する、
絞り制御方法。
【発明の詳細な説明】
【技術分野】
【０００１】
本発明の一態様は、被写体を撮像する電子機器などに関する。
【背景技術】
【０００２】
ＣＣＤ（Charge Coupled Device）またはＣＭＯＳ（Complementary Metal Oxide Semiconductor）などの撮像素子を用いて被写体を撮影する撮像装置が、たとえば特許文献１および特許文献２などに開示されている。
【先行技術文献】
【特許文献】
【０００３】
【特許文献１】特開２０１１−１４７０９４号公報
【特許文献２】特開２０１４−１１７９０号公報
【発明の概要】
【発明が解決しようとする課題】
【０００４】
たとえば、スマートフォンなどのような携帯型の電子機器には、撮像素子を用いたカメラが内蔵されることがある。また、このような電子機器では、アプリケーションを動作させるためのオペレーティングシステムが導入されていることがある。ユーザは、たとえば、自己の用途に沿ったアプリケーションを電子機器にインストールし、インストールしたアプリケーションを操作することによりカメラの機能を使用する。ところで、従来の携帯型の電子機器では絞りが設けられていなかったため、電子機器に内蔵されたカメラによる明るさの調整は、露光時間の大小によって行われていた。この場合、画像の明るさの調整幅が制限され、また、焦点深度の調整ができないため、ユーザの望む品質の画像を生成することが困難であった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
アプリケーション（２２）、および前記アプリケーション（２２）を動作させるためのオペレーティングシステム（２１）を実行するための処理部（１１）と、
被写体を撮像して画像を生成する撮像部（４）と、
絞り部（５）と、を備え、
前記絞り部は、
前記撮像部（４）の露光用の開口部の開口量を調整する羽根部材（１７）と、
前記羽根部材（１７）を駆動する駆動部（６）と、を含み、
前記アプリケーション（２２）は、前記開口部の開口量を調整するための制御命令を前記オペレーティングシステム（２１）へ出力し、
前記オペレーティングシステム（２１）は、前記アプリケーション（２２）から受けた前記制御命令に従って前記駆動部（６）を制御する、
電子機器である。
【０００７】
上記構成の電子機器によれば、アプリケーションによって開口部の開口量を調整することができるので、焦点深度および明るさを調整して撮像することができる。これにより、たとえば、電子機器上で動作するアプリケーションをユーザが操作することにより被写体を撮影する場合において、ユーザの望む焦点深度および明るさの画像を生成することができる。
【０００８】
上記電子機器において、好ましくは、
前記アプリケーション（２２）は、前記画像の明るさを示す光量情報に基づき前記開口量を決定し、決定した前記開口量に基づき前記制御命令を生成し、生成した前記制御命令を前記オペレーティングシステム（２１）へ出力する。
【０００９】
上記構成の電子機器によれば、開口部の開口量を調整することによる光量調整の調整幅は、撮像部における露光時間の調整による光量調整の調整幅より大きいので、明るさのダイナミックレンジをより大きく確保することができる。これにより、たとえば、撮影環境の明るさが変化する状況においても、生成された画像の明るさを、ユーザの望む明るさに良好に保つことができる。
【００１０】
上記電子機器において、好ましくは、
前記アプリケーション（２２）は、ユーザによって指定された前記開口量に基づき前記制御命令を生成し、生成した前記制御命令を前記オペレーティングシステム（２１）へ出力する。
【００１１】
上記構成の電子機器によれば、開口部の開口量を固定することができるので、ユーザの望むＦ値および焦点深度の画像を生成することができる。
【００１２】
上記電子機器において、好ましくは、
前記撮像部（４）は、
撮像素子（１４）と、
前記撮像素子（１４）を制御する撮像素子制御回路（１３）と、を含み、
前記駆動部（６）は、
前記羽根部材（１７）を駆動するモータ（１６）と、
撮像素子制御回路（１３）とは別個の、前記モータ（１６）を制御するモータ制御回路（１５）と、を含む。
【００１３】
上記構成の電子機器によれば、撮像素子制御回路およびモータ制御回路の設置位置をそれぞれ自由に設定することができるので、電子機器の設計の自由度を高めることができる。これにより、たとえば、駆動部における駆動部材の位置検出用のホール素子がモータ制御回路に含まれるために、モータ制御回路を駆動部の近傍に設けることが求められる場合においても、モータ制御回路を駆動部の近傍に容易に配置することができる。
【００１４】
上記電子機器において、好ましくは、
前記モータ（１６）は、ボイスコイルモータである。
【００１５】
上記構成の電子機器によれば、ステッピングモータと比べて小型化することが可能なボイスコイルモータを用いることで、よりコンパクトな絞り部を形成することができるので、小型化が求められるモバイル用途の電子機器に絞り部を良好に格納することができる。
【００１６】
上記電子機器において、好ましくは、
前記電子機器（１）は、スマートフォンである。
【００１７】
上記構成の電子機器によれば、スマートフォンに搭載されたカメラを用いて撮影する場合において、画像の焦点深度および画像の明るさを調整することができる。
【００１８】
上記電子機器において、好ましくは、
前記アプリケーション（２２）は、前記電子機器（１）の外部からインストールされる。
【００１９】
上記構成の電子機器によれば、たとえばコンパクトデジタルカメラのように製造時にインストールされたアプリケーションしか使用できない電子機器と比べて、ユーザの望む用途に応じたアプリケーションを電子機器にインストールして使用することができるので、ユーザの望む用途に合致した画像を生成することができる。
【００２０】
上記電子機器において、好ましくは、
前記撮像部（４）および前記絞り部（５）は、前記電子機器（１）の筐体に内蔵される。
【００２１】
上記構成の電子機器によれば、カメラを含む電子機器をコンパクトに形成することができるので、モバイル用途に適した電子機器を供給することができる。
【００２２】
また、本発明の別の手段は、
アプリケーション（２２）、および前記アプリケーション（２２）を動作させるためのオペレーティングシステム（２１）を実行するための処理部（１１）と、被写体を撮像して画像を生成する撮像部（４）と、絞り部（５）と、を備える電子機器における絞り制御方法であって、
前記絞り部（５）は、
前記撮像部（４）の露光用の開口部の開口量を調整する羽根部材（１７）と、
前記羽根部材（１７）を駆動する駆動部（６）と、を含み、
前記アプリケーション（２２）が、前記開口部の開口量を調整するための制御命令を前記オペレーティングシステム（２１）へ出力するステップと、
前記オペレーティングシステム（２１）が、前記アプリケーション（２２）から受けた前記制御命令に従って前記駆動部（６）を制御するステップと、を有する、
絞り制御方法である。
【００２３】
上記構成の電子機器によれば、アプリケーションによって開口部の開口量を調整することができるので、画像における焦点深度および明るさを調整することができる。これにより、たとえば、電子機器上で動作するアプリケーションをユーザが操作することにより被写体を撮影する場合において、ユーザの望む焦点深度および明るさの画像を生成することができる。
【図面の簡単な説明】
【００２４】
【図１】図１は、本実施形態の電子機器のハードウェア構成を示す図である。
【図２】図２は、本実施形態の電子機器のソフトウェア構成を示す図である。
【図３】図３は、本実施形態における電子機器における絞りの制御処理を示すフローチャートである。
【発明を実施するための形態】
【００２５】
本発明の電子機器は、オペレーティングシステム上で動作するアプリケーションが、当該オペレーティングシステムを介してカメラの絞りを制御する構成としている点を特徴のひとつとする。
【００２６】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
（１）電子機器のハードウェア構成例
（２）電子機器のソフトウェア構成例
（３）動作例
２．本発明の特徴
３．補足事項
【００２７】
＜１．実施形態＞
＜（１）電子機器のハードウェア構成例＞
本発明の実施形態について、図面を参照しながら説明する。図１は、本実施形態の電子機器のハードウェア構成を示す図である。図１に示されるように、本実施形態の電子機器１は、メイン基板２およびカメラモジュール３を含んで構成される。メイン基板２は、処理部１１およびメモリ１２を含んで構成される。カメラモジュール３は、撮像部４および絞り部５を含んで構成される。撮像部４は、制御ＩＣ（Integrated Circuit）１３および撮像素子１４を含んで構成される。絞り部５は、駆動部６および羽根部材１７を含んで構成される。駆動部６は、ドライバ１５およびボイスコイルモータ（Voice Coil Motor : VCM）１６を含んで構成される。
【００２８】
＜電子機器１＞
本実施形形態では、電子機器１は、たとえば無線端末装置である。具体的には、電子機器１は、スマートフォンである。詳細には、電子機器１は、たとえば、携帯電話用の無線基地局と無線通信を行う。また、電子機器１は、たとえば、ＷｉＦｉ（登録商標）の通信方式に従って、他の無線通信装置と無線通信を行う。電子機器１は、図示しないが、ディスプレイといった表示部、およびタッチパネルといった入力部などをさらに含んで構成される。
【００２９】
＜メイン基板２＞
メイン基板２は、たとえば、処理部１１およびメモリ１２間のバスが形成された電子回路基板である。また、メイン基板２には、たとえば、各種チップおよび各種コネクタなどが搭載される。
【００３０】
＜メモリ１２＞
メモリ１２は、たとえば、ＤＲＡＭ（Dynamic Random Access Memory）などの揮発性メモリであり、プログラムおよびデータなどを保持する。
【００３１】
＜処理部１１＞
処理部１１は、たとえば、ＣＰＵ（Central Processing Unit）であり、メモリ１２などからプログラムを読み出し、読み出したプログラムの内容に従って電子機器１を動作させる。
【００３２】
＜カメラモジュール３＞
カメラモジュール３は、図示しないが、レンズ部をさらに含んで構成される。レンズ部は、被写体からの光線を撮像素子１４に結像する光学系を形成する。本実施形態では、カメラモジュール３は、電子機器１の筐体に内蔵される。
【００３３】
＜撮像部４＞
撮像部４は、被写体を撮像して画像を生成する。詳細には、撮像部４は、撮像素子１４に結像された被写体を撮像することにより画像を生成し、生成した画像を示す画像情報を処理部１１へ出力する。本実施形態では、撮像部４は、処理部１１から受ける命令に従って動作するチップである。
【００３４】
＜撮像素子１４＞
撮像素子１４は、たとえば、ＣＣＤまたはＣＭＯＳであり、複数の受光素子（図示しない）が２次元配列された受光面を有する。各受光素子は、光学系によって被写体が受光面に結像された状態において、受光した光の強度を電気信号に変換する。
【００３５】
＜制御ＩＣ１３＞
制御ＩＣ１３は、撮像素子１４を制御する。詳細には、制御ＩＣ１３は、本発明でいう「撮像素子制御回路」の一具体例であり、たとえば、撮像素子１４における各受光素子から電気信号の読み出しを行い、読み出した電気信号をデジタルデータに変換する。このデジタルデータが、被写体を含む画像を示す画像情報である。本実施形態では、制御ＩＣ１３は、たとえば、処理部１１から画像要求を受けると、変換後のデジタルデータすなわち画像情報を処理部１１へ出力する。
【００３６】
＜絞り部５＞
絞り部５は、たとえば、処理部１１から受ける命令に従って、光学系における光路の開口径すなわち撮像部４の露光用の開口部（図示しない）の開口量を調整する。
【００３７】
＜羽根部材１７＞
羽根部材１７は、開口部の開口量を調整する。詳細には、羽根部材１７は、たとえば、複数の絞り羽根（図示しない）を有する。各絞り羽根が、駆動部６から受ける駆動力に応じて、所定の様式で位置および向きを変えることによって、開口部の開口量が変化する。
【００３８】
＜駆動部６＞
駆動部６は、羽根部材１７を駆動する。詳細には、駆動部６は、処理部１１から受ける命令に従って、羽根部材１７における各絞り羽根を駆動する。
【００３９】
＜ドライバ１５＞
ドライバ１５は、ボイスコイルモータ１６を制御する。ドライバ１５は、本発明でいう「モータ制御回路」の一具体例であり、制御ＩＣ１３とは別個のＩＣである。本実施形態では、ドライバ１５は、処理部１１の制御に従って、ボイスコイルモータ１６を制御するための電流または電圧を制御信号として生成し、生成した制御信号をボイスコイルモータ１６へ出力する。また、ドライバ１５は、たとえば、ボイスコイルモータ１６が羽根部材１７を駆動させるための駆動部材の位置検出用のホール素子を含み、ホール素子を駆動部材に近接させるためにボイスコイルモータ１６の近傍に配置される。
【００４０】
＜ボイスコイルモータ１６＞
ボイスコイルモータ１６は、羽根部材１７を駆動する。ボイスコイルモータ１６は、本発明でいう「モータ」の一具体例である。詳細には、ボイスコイルモータ１６は、ドライバ１５から受ける制御信号から直線運動を発生するリニアモータである。ボイスコイルモータ１６は、羽根部材１７における各絞り羽根と駆動部材を介して物理的にリンクしており、制御信号に応じて各絞り羽根の位置および向きを変化させる。
【００４１】
＜（２）電子機器のソフトウェア構成例＞
図２は、本実施形態の電子機器のソフトウェア構成を示す図である。図２に示されるように、本実施形態のメイン基板２は、オペレーティングシステム２１およびアプリケーション２２を含んで構成される。
【００４２】
＜オペレーティングシステム２１＞
オペレーティングシステム２１は、アプリケーション２２を動作させるためのプログラムであり、処理部１１によって実行される。詳細には、オペレーティングシステム２１は、たとえば、工場出荷前において不揮発性メモリまたはＨＤＤ（Hard Disk Drive）にプリインストールされており、電子機器１の電源がオンされると、処理部１１によって読み出されてメモリ１２に格納される。オペレーティングシステム２１は、制御ＩＣ１３およびドライバ１５などのハードウェアに命令を出力することによってハードウェアを直接制御することが可能である。また、オペレーティングシステム２１は、ハードウェアを制御するためのプログラム（以下、ライブラリと称する。）を、アプリケーション２２の要求に応じてアプリケーション２２へ提供する。ライブラリの仕様は、たとえばＡＰＩ（Application Programming Interface）によって提供される。本実施形態では、オペレーティングシステム２１は、たとえば、絞り部５における開口部の開口量を制御するための開口量制御ライブラリ、および撮像部４によって生成された画像の光量を取得するための光量取得ライブラリをアプリケーション２２へ提供する。また、オペレーティングシステム２１は、たとえば、制御ＩＣ１３から画像情報を取得し、取得した画像情報に基づき、撮像素子１４によって生成された画像の明るさを示す光量情報を作成する。
【００４３】
＜アプリケーション２２＞
アプリケーション２２は、オペレーティングシステム２１上で動作するプログラムであり、処理部１１によって実行される。アプリケーション２２は、電子機器１の外部からインストールされる。具体的には、アプリケーション２２は、たとえば、工場出荷後において、ユーザによって不揮発性メモリまたはＨＤＤにインストールされる。本実施形態では、アプリケーション２２は、たとえば、カメラモジュール３によって生成された画像を表示部に表示させるためのプログラムである。アプリケーション２２は、たとえば、入力部に対するユーザの操作に従って動作を開始する。この際、アプリケーション２２は、たとえば、処理部１１によって不揮発性メモリまたはＨＤＤから読み出されてメモリ１２に格納される。アプリケーション２２は、入力部に対するユーザの操作に従って動作し、オペレーティングシステム２１が提供する開口量制御ライブラリおよび光量取得ライブラリを用いて、オペレーティングシステム２１を介してカメラモジュール３を制御する、すなわちカメラモジュール３を間接的に制御する。
【００４４】
＜（３）動作例＞
次に、本実施形態の電子機器における絞りの制御処理について、図３を参照しながら説明する。図３は、本実施形態における電子機器における絞りの制御処理を示すフローチャートである。図３に示される絞りの制御処理では、たとえば以下の状況を想定する。すなわち、絞り部５における開口部の開口量が、「全開」および「小絞り」の２段階の絞り量で切り替え可能である。また、ユーザは、入力部を操作することにより、撮像部４により生成される画像の明るさを「暗モード」および「明モード」の２段階の動作モードで設定可能である。
【００４５】
＜Ｓ１００＞
ユーザは、たとえば、画像の明るさを「暗モード」および「明モード」のいずれかに設定するための設定操作を入力部に対して行う（Ｓ１００）。
【００４６】
＜Ｓ１０２＞
次に、アプリケーション２２は、入力部に対するユーザの設定操作に基づき、動作モードを切り替えるとともに、光量情報をオペレーティングシステム２１に要求する。詳細には、アプリケーション２２は、たとえば、オペレーティングシステム２１における光量取得ライブラリを用いて、光量情報の要求をオペレーティングシステム２１へ出力する（Ｓ１０２）。
【００４７】
＜Ｓ１０４＞
次に、オペレーティングシステム２１は、アプリケーション２２から光量情報の要求を受けると、制御ＩＣ１３から画像情報を取得し、取得した画像情報に基づき光量を算出する。詳細には、オペレーティングシステム２１は、画像要求を作成して制御ＩＣ１３へ出力し、当該画像要求の応答である画像情報を制御ＩＣ１３から受ける（Ｓ１０４）。
【００４８】
＜Ｓ１０６＞
次に、オペレーティングシステム２１は、制御ＩＣ１３から受けた画像情報に基づき、撮像部４によって生成された画像の明るさを算出し、算出した画像の明るさを示す光量情報をアプリケーション２２へ出力する（Ｓ１０６）。
【００４９】
＜Ｓ１０８＞
次に、アプリケーション２２は、光量情報に基づき開口部の開口量を決定する。詳細には、アプリケーション２２は、オペレーティングシステム２１から光量情報を受けると、受けた光量情報に基づき、設定操作に基づく動作モードに適した開口量である目標開口量を算出する（Ｓ１０８）。
【００５０】
＜Ｓ１１０＞
次に、アプリケーション２２は、算出した目標開口量に基づき、開口量を変更すべきか否かを判断する（Ｓ１１０）。具体的には、アプリケーション２２は、たとえば、目標開口量と所定のしきい値Ｔｈ１との大小関係に基づき、「全開」および「小絞り」のいずれの絞り量が適しているかを判定する。そして、アプリケーション２２は、判定結果と現在の絞り量とが同じ場合、絞り量を変更すべきでないと判断する（Ｓ１１０でＮ）。一方、アプリケーション２２は、判定結果と現在の絞り量とが異なる場合、絞り量を変更すべきと判断する（Ｓ１１０でＹ）。
【００５１】
＜Ｓ１１２＞
次に、アプリケーション２２は、開口部の開口量を調整するための制御命令を、決定した開口量に基づき生成し、生成した制御命令をオペレーティングシステム２１へ出力する。詳細には、アプリケーション２２は、たとえば、判断結果に応じた絞り量をドライバ１５用の数値である制御量に変換し、変換後の制御量を、オペレーティングシステム２１における開口量制御ライブラリを用いてオペレーティングシステム２１へ出力する（Ｓ１１２）。
【００５２】
＜Ｓ１１４＞
次に、オペレーティングシステム２１は、アプリケーション２２から受けた制御命令に従って駆動部６を制御する。詳細には、オペレーティングシステム２１は、アプリケーション２２から制御量を受けると、受けた制御量をドライバ１５へ出力する（Ｓ１１４）。
【００５３】
＜Ｓ１１６＞
次に、ドライバ１５は、オペレーティングシステム２１から制御量を受けると、受けた制御量に応じた制御信号を生成し、生成した制御信号をボイスコイルモータ１６へ出力する（Ｓ１１６）。
【００５４】
＜Ｓ１１８＞
次に、ボイスコイルモータ１６は、ドライバ１５から受ける制御信号に基づき直線運動を発生することで、羽根部材１７における各絞り羽根を駆動する（Ｓ１１８）。
【００５５】
＜Ｓ１０２＞
次に、アプリケーション２２は、絞り量を変更すべきでないと判断するか（Ｓ１１０でＮ）、または各絞り羽根が駆動された後（Ｓ１１８）、光量情報をオペレーティングシステム２１に要求する（Ｓ１０２）。
【００５６】
なお、上記フローチャートでは、ユーザが設定操作を入力部に対して行う場合（Ｓ１００）における絞りの制御処理について説明したが、ユーザが、Ｆ値を固定することを目的として開口量を「全開」および「小絞り」のいずれかに固定するための固定操作を入力部に対して行う場合においても、以下の相違点を除いて同様に適用可能である。
【００５７】
＜Ｓ１１０＞
すなわち、アプリケーション２２は、判定結果に関係なく絞り量を変更すべきと判断する（Ｓ１１０）。
【００５８】
＜Ｓ１１２＞
次に、アプリケーション２２は、ユーザによって指定された開口量に基づき制御命令を生成し、生成した制御命令をオペレーティングシステム２１へ出力する。詳細には、アプリケーション２２は、たとえば、ユーザによる固定操作に応じた絞り量をドライバ１５用の数値である制御量に変換し、変換後の制御量を、オペレーティングシステム２１における開口量制御ライブラリを用いてオペレーティングシステム２１へ出力する（Ｓ１１２）。
【００５９】
上記構成の電子機器によれば、アプリケーション２２によって開口部の開口量を調整することができるので、画像における焦点深度および明るさを調整することができる。これにより、たとえば、電子機器１上で動作するアプリケーション２２をユーザが操作することにより被写体を撮影する場合において、ユーザの望む焦点深度および明るさの画像を生成することができる。具体的には、たとえば、焦点深度を調整することにより、画像における背景に対するぼかし具合を調整することができる。また、明るさの調整幅が拡がることで、顔認識処理などの画像に基づく認識処理において、良好に認識可能な明るさの画像を用いることができるので、認識処理における誤検知を抑制することができる。
【００６０】
＜２．本発明の特徴＞
上記構成の電子機器では、アプリケーション２２が、画像の明るさを示す光量情報に基づき開口量を決定し、決定した開口量に基づき制御命令を生成し、生成した制御命令をオペレーティングシステム２１へ出力するため、開口部の開口量を調整することによる光量調整の調整幅は、撮像部４における露光時間の調整による光量調整の調整幅より大きいので、明るさのダイナミックレンジをより大きく確保することができる。これにより、たとえば、撮影環境の明るさが変化する状況においても、生成された画像の明るさを、ユーザの望む明るさに良好に保つことができる。
【００６１】
上記構成の電子機器では、アプリケーション２２が、ユーザによって指定された開口量に基づき制御命令を生成し、生成した制御命令をオペレーティングシステム２１へ出力するため、開口部の開口量を固定することができるので、ユーザの望むＦ値および焦点深度の画像を生成することができる。
【００６２】
上記構成の電子機器では、撮像部４が、撮像素子１４と、撮像素子１４を制御する制御ＩＣ１３と、を含み、駆動部６が、羽根部材を駆動するモータと、制御ＩＣ１３とは別個の、当該モータを制御するドライバ１５と、を含むため、制御ＩＣ１３およびドライバ１５の設置位置をそれぞれ自由に設定することができるので、電子機器１の設計の自由度を高めることができる。これにより、たとえば、絞り部５における駆動部材の位置検出用のホール素子がドライバ１５に含まれるために、ドライバ１５を駆動部６の近傍に設けることが求められる場合においても、ドライバ１５を駆動部６の近傍に容易に配置することができる。
【００６３】
上記構成の電子機器では、上記モータが、ステッピングモータと比べて小型化することが可能なボイスコイルモータであるため、よりコンパクトな絞り部５を形成することができるので、小型化が求められるモバイル用途の電子機器１に絞り部５を良好に格納することができる。
【００６４】
上記構成の電子機器では、電子機器１が、スマートフォンであるため、スマートフォンに搭載されたカメラを用いて撮影する場合において、画像の焦点深度および画像の明るさを調整することができる。
【００６５】
上記構成の電子機器では、アプリケーション２２が、電子機器１の外部からインストールされるため、たとえばコンパクトデジタルカメラのように製造時にインストールされたアプリケーションしか使用できない電子機器と比べて、ユーザの望む用途に応じたアプリケーション２２を電子機器１にインストールして使用することができるので、ユーザの望む用途に合致した画像を生成することができる。
【００６６】
上記構成の電子機器では、撮像部４および絞り部５が、電子機器１の筐体に内蔵されるため、カメラを含む電子機器１をコンパクトに形成することができるので、モバイル用途に適した電子機器１を供給することができる。
【００６７】
＜３．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００６８】
本実施形態の電子機器では、絞り部５における開口部の開口量が、「全開」および「小絞り」の２段階の絞り量で切り替え可能な構成について説明したが、絞り部５は、３段階以上の多段階で切り替え可能な構成であってもよいし、無段階で絞り量を調整可能な構成であってもよい。
【００６９】
また、本実施形態の電子機器では、光量情報が、撮像部４によって撮像された画像に基づき生成される構成について説明したが、光量情報は、たとえば、撮像部４とは別の照度センサなどの出力値に基づき生成される構成であってもよい。
【００７０】
また、本実施形態の電子機器では、制御ＩＣ１３およびドライバ１５が別個のＩＣである構成について説明したが、制御ＩＣ１３およびドライバ１５が１つのＩＣに集約される構成であってもよい。
【００７１】
また、本実施形態の電子機器では、羽根部材１７がボイスコイルモータ１６によって駆動される構成について説明したが、羽根部材１７が、他の種類のモータによって駆動される構成であってもよい。たとえば、羽根部材１７を駆動するモータには、電磁アクチュエータなどが含まれる。すなわち、マグネットロータと、コイルが磁性体に巻回された電磁石とを含み、該電磁石が上記マグネットロータの回転軸に対して垂直または軸方向に配置された電磁アクチュエータなどによって羽根部材１７が駆動されてもよい。
【００７２】
また、本実施形態の電子機器が、スマートフォンである構成について説明したが、電子機器１は、ＷｉＦｉに従う無線通信を行うタブレットなどの無線端末装置であってもよい。
【００７３】
また、本実施形態の電子機器では、アプリケーション２２が、工場出荷後においてユーザによってインストールされる場合について説明したが、アプリケーション２２は、工場出荷時においてプリインストールされていてもよい。
【産業上の利用可能性】
【００７４】
本発明の電子機器は、たとえば、スマートフォンおよびタブレットなどの携帯型の無線通信端末に好適に適用される。
【符号の説明】
【００７５】
１…電子機器
２…メイン基板
３…カメラモジュール
４…撮像部
５…絞り部
６…駆動部
１１…処理部
１２…メモリ
１３…制御ＩＣ
１４…撮像素子
１５…ドライバ
１６…ボイスコイルモータ
１７…羽根部材
２１…オペレーティングシステム
２２…アプリケーション
【図１】
2019101104.tif 000003
【図２】
2019101104.tif 000004
【図３】
2019101104.tif 000005